(57)【特許請求の範囲】
【請求項１】
上部に開口部が形成されかつ流出側接続口部が下部に形成された公共ドロップ桝本体内に着脱可能に取り付けられ、この公共ドロップ桝本体の前記流出側接続口部を閉塞する公共ドロップ桝用閉塞装置であって、
前記公共ドロップ桝本体の前記流出側接続口部の内周面に嵌合され、この流出側接続口部を閉塞する閉塞嵌合部材と、
前記公共ドロップ桝本体の前記流出側接続口部の内側に前記閉塞嵌合部材に対向して相対的に接離する方向に移動可能に配設される締付け移動部材と、
この締付け移動部材と前記閉塞嵌合部材との間に配設される被締付けリング部材と、
前記公共ドロップ桝本体の上部側から操作される操作部を有し、この操作部の操作に基づき前記締付け移動部材を前記閉塞嵌合部材に向って相対的に移動させ前記被締付けリング部材をこの閉塞嵌合部材と締付け移動部材とで締め付けて、この被締付けリング部材の外周面を前記公共ドロップ桝本体の前記流出側接続口部の内周面に圧接させる締付け機構と
を具備したことを特徴とする公共ドロップ桝用閉塞装置。
【請求項２】
締付け機構は、公共ドロップ桝本体の上部側から閉塞嵌合部材の中央部に設けた挿通孔に挿通して締付け移動部材の中央部に設けた螺合孔に螺合された螺合部を一端に形成するとともに前記公共ドロップ桝本体の上部側から操作される操作部を他端に形成した回動操作軸を備えた
ことを特徴とする請求項１記載の公共ドロップ桝用閉塞装置。
【請求項３】
公共ドロップ桝本体は、上部に開口部を形成するとともに下部に縮径段部を介して前記上部の開口部より小径の流出側接続口部を形成し、
閉塞嵌合部材は、周縁部に前記縮径段部に係止される係止部を突出形成した
ことを特徴とする請求項１または２記載の公共ドロップ桝用閉塞装置。
【請求項４】
閉塞嵌合部材は、公共ドロップ桝本体の流出側接続口部の内周面に嵌合される嵌合筒部を有し、
この嵌合筒部の外周面は、上方に向って拡開したテーパー面に形成した
ことを特徴とする請求項１ないし３のいずれかに記載の公共ドロップ桝用閉塞装置。
【請求項５】
締付け移動部材は、上下面に貫通した回り止め規制孔を有し、
閉塞嵌合部材は、前記締付け移動部材に対向する閉塞基板部を有し、
この閉塞基板部には、中央部に回動操作軸の螺合部を挿通する挿通孔を設けるとともに周縁部に前記締付け移動部材の前記回り止め規制孔に上下方向に移動可能に嵌挿する回り止め突起部を突設した
ことを特徴とする請求項２ないし４のいずれかに記載の公共ドロップ桝用閉塞装置。
【請求項６】
閉塞嵌合部材および締付け移動部材には、上下面にそれぞれ貫通した結露水を流す結露水排出用孔を設けた
ことを特徴とする請求項１ないし５のいずれかに記載の公共ドロップ桝用閉塞装置。
【請求項７】
締付け移動部材の螺合孔から突出した回動操作軸の先端部には、前記締付け移動部材の抜け止め部を設けた
ことを特徴とする請求項２ないし６のいずれかに記載の公共ドロップ桝用閉塞装置。
【発明の詳細な説明】
【０００１】
【発明の属する技術分野】
本発明は、公共ドロップ桝本体内に着脱可能に取り付けて、公共ドロップ桝本体の流出側接続口部を閉塞する公共ドロップ桝用閉塞装置に関する。
【０００２】
【従来の技術】
一般に、宅地内の排水管の末端は、公共桝本体に接続され、この公共桝本体は、宅地外の公道下に敷設した下水本管との高低差等の関係で、下方に流出口を開口形成した公共ドロップ桝本体が用いられる。
【０００３】
この公共ドロップ桝本体は、例えば上部に大径の流入側接続口部を形成するとともに下部に小径の流出側接続口部を縮径段部を介して形成した構造が採られている。
【０００４】
そして、この公共ドロップ桝本体の流出側接続口部には、取付管等を介して下水本管が接続され、宅地内からの排水は、宅地内の排水管から、立上がり管、公共ドロップ桝本体、取付管等を経て、その下水本管に流れ、最終的に下水処理場に流れ込むようになっている。
【０００５】
ここで、この排水系の敷設は、一般に、宅地造成時に、宅地外の公道下に下水本管を敷設し、この下水本管から取付管を分岐して、この取付管を公共ドロップ桝本体の流出側接続口部に接続する。次いで、この取付管を介して前記下水本管に連通した公共ドロップ桝本体の流入側接続口部に、立上がり管を介して開閉蓋を地表に面して設置する。そして、この立上がり管の途中に形成された接続口部に着脱可能に閉塞具を取り付けて、この閉塞具でその接続口部を閉塞した後、この立上がり管、公共ドロップ桝本体等を一旦埋め戻しておく。
【０００６】
宅地造成が完成し、建物が建築された後に、前記立上がり管の接続口部近傍まで掘り下げ、前記閉塞具を立上がり管の接続口部から取り外し、この接続口部に宅地内の建物からの排水を流す排水管の末端を接続することによりこの宅地内の排水管の末端と前記公共ドロップ桝本体と前記下水本管とをそれぞれ連通させて、排水系の敷設作業を完了する。
【０００７】
しかしながら、上記排水系において、下水本管に連通した公共ドロップ桝本体の埋設後であって下水の供用開始前に、宅地内の排水管の末端が、公共ドロップ桝本体を介して下水本管に連通された場合には、宅地内から排水が流出されたときに、この排水は宅地内の排水管から公共ドロップ桝本体等を経て、下水本管に流れ、最終的に、未だ稼働していない下水処理場に流れ込んでしまうおそれがある問題を有している。
【０００８】
また、下水処理場が稼働している場合でも、地方自治体等の下水道事業者に無断で宅地内の排水管の末端が、公共ドロップ桝本体を介して下水本管に連通されると、下水道施設が無断で利用される問題がある。
【０００９】
従来、埋設した公共ドロップ桝本体の流出側接続口部を、例えば、実公平３−３２６１７号公報に記載の排水桝用栓体を用いて閉塞する方法が知られていた。
【００１０】
この排水桝用栓体は、流出側接続口部に嵌挿される挿入管部を有し、この挿入管部の外周部に弾性シール材を嵌着した環状の嵌合凹部を形成し、かつ、この挿入管部の開口部を外面に把手部を形成した閉塞底蓋部にて閉塞した構造が採られている。
【００１１】
【発明が解決しようとする課題】
しかしながら、このような実公平３−３２６１７号公報に記載の排水桝用栓体では、底蓋部の把手部を把持して、公共ドロップ桝本体の上部側へ引っ張れば、簡単に引き抜くことができるため、簡単に閉塞状態が解除される問題がある。
【００１２】
本発明は、このような点に鑑みなされたもので、公共ドロップ桝本体の流出側接続口部の閉塞状態が簡単に解除されることを防止する公共ドロップ桝用閉塞装置を提供することを目的とする。
【００１３】
【課題を解決するための手段】
請求項１記載の公共ドロップ桝用閉塞装置は、上部に開口部が形成されかつ流出側接続口部が下部に形成された公共ドロップ桝本体内に着脱可能に取り付けられ、この公共ドロップ桝本体の前記流出側接続口部を閉塞する公共ドロップ桝用閉塞装置であって、前記公共ドロップ桝本体の前記流出側接続口部の内周面に嵌合され、この流出側接続口部を閉塞する閉塞嵌合部材と、前記公共ドロップ桝本体の前記流出側接続口部の内側に前記閉塞嵌合部材に対向して相対的に接離する方向に移動可能に配設される締付け移動部材と、この締付け移動部材と前記閉塞嵌合部材との間に配設される被締付けリング部材と、前記公共ドロップ桝本体の上部側から操作される操作部を有し、この操作部の操作に基づき前記締付け移動部材を前記閉塞嵌合部材に向って相対的に移動させ前記被締付けリング部材をこの閉塞嵌合部材と締付け移動部材とで締め付けて、この被締付けリング部材の外周面を前記公共ドロップ桝本体の前記流出側接続口部の内周面に圧接させる締付け機構とを具備したものである。
【００１４】
公共ドロップ桝本体の流出側接続口部を閉塞する場合、まず、被締付けリング部材を閉塞嵌合部材と締付け移動部材との間に配設させた状態で、この被締付けリング部材、閉塞嵌合部材および締付け移動部材を、公共ドロップ桝本体内に挿入し、この閉塞嵌合部材は流出側接続口部の内周面に嵌合された状態とする。
【００１５】
次いで、締付け機構の操作部を、公共ドロップ桝本体の上部側から操作すると、この操作部の操作に基づき、締付け移動部材が閉塞嵌合部材に向って相対的に移動する。
【００１６】
そして、この締付け移動部材の移動により、被締付けリング部材が、この締付け移動部材と閉塞嵌合部材とで締め付けられて、この被締付けリング部材の外周面が流出側接続口部の内周面に圧接する。
【００１７】
この状態で、閉塞嵌合部材が、締付け移動部材および被締付けリング部材にて保持されて、この保持された閉塞嵌合部材により、公共ドロップ桝本体の流出側接続口部が閉塞される。
【００１８】
なお、締付け機構の操作部を閉塞する場合とは逆に操作等して、締付け移動部材を閉塞嵌合部材から離反する方向に相対的に移動させ、閉塞嵌合部材と締付け移動部材とによる被締付けリング部材の締付けを解除し、流出側接続口部の内周面と被締付けリング部材の外周面との圧接を解き、被締付けリング部材、閉塞嵌合部材および締付け移動部材を公共ドロップ桝本体外に取り出して、公共ドロップ桝本体の流出側接続口部を開放する。
【００１９】
請求項２記載の公共ドロップ桝用閉塞装置は、請求項１記載の公共ドロップ桝用閉塞装置において、締付け機構は、公共ドロップ桝本体の上部側から閉塞嵌合部材の中央部に設けた挿通孔に挿通して締付け移動部材の中央部に設けた螺合孔に螺合された螺合部を一端に形成するとともに前記公共ドロップ桝本体の上部側から操作される操作部を他端に形成した回動操作軸を備えたものである。
【００２０】
被締付けリング部材、閉塞嵌合部材および締付け移動部材を、公共ドロップ桝本体内に挿入すると、閉塞嵌合部材が流出側接続口部の内周面に嵌合される。
【００２１】
次いで、回動操作軸の操作部を、公共ドロップ桝本体の上部側から回動操作すると、この操作部の回動操作に基づき、回動操作軸の螺合部が締付け方向に回動し、この螺合部の回動に伴い、締付け移動部材が閉塞嵌合部材に向って相対的に移動する。
【００２２】
そして、この締付け移動部材の移動により、被締付けリング部材が、この締付け移動部材と閉塞嵌合部材とで締め付けられて、この被締付けリング部材の外周面が流出側接続口部の内周面に圧接する。
【００２３】
この状態で、閉塞嵌合部材が、締付け移動部材および被締付けリング部材にて保持されて、この保持された閉塞嵌合部材により、公共ドロップ桝本体の流出側接続口部が閉塞される。
【００２４】
一方、公共ドロップ桝本体の流出側接続口部を開放する場合、回動操作軸の操作部を、公共ドロップ桝本体の上部側から、閉塞する場合とは逆方向に回動操作すると、この操作部の回動操作に基づき、回動操作軸の螺合部が締付け解除方向に回動する。この螺合部の回動に伴い、締付け移動部材が閉塞嵌合部材から離反する方向に相対的に移動する。
【００２５】
そして、この締付け移動部材の移動により、閉塞嵌合部材と締付け移動部材とによる被締付けリング部材の締付けが解除され、この被締付けリング部材の外周面が流出側接続口部の内周面から離れる。そして、回動操作軸を利用して、被締付けリング部材、閉塞嵌合部材および締付け移動部材を公共ドロップ桝本体外に取り出して、公共ドロップ桝本体の流出側接続口部を開放状態にする。
【００２６】
請求項３記載の公共ドロップ桝用閉塞装置は、請求項１または２記載の公共ドロップ桝用閉塞装置において、公共ドロップ桝本体は、上部に開口部を形成するとともに下部に縮径段部を介して前記上部の開口部より小径の流出側接続口部を形成し、閉塞嵌合部材は、周縁部に前記縮径段部に係止される係止部を突出形成したものである。
【００２７】
被締付けリング部材、閉塞嵌合部材および締付け移動部材が公共ドロップ桝本体内に挿入されて、閉塞嵌合部材が小径の流出側接続口部の内周面に嵌合された状態では、この閉塞嵌合部材の周縁部に突出形成した係止部は、縮径段部に係止した状態にある。
【００２８】
請求項４記載の公共ドロップ桝用閉塞装置は、請求項１ないし３のいずれかに記載の公共ドロップ桝用閉塞装置において、閉塞嵌合部材は、公共ドロップ桝本体の流出側接続口部の内周面に嵌合される嵌合筒部を有し、この嵌合筒部の外周面は、上方に向って拡開したテーパー面に形成したものである。
【００２９】
被締付けリング部材を、閉塞嵌合部材と締付け移動部材との間に配設させた状態で、この被締付けリング部材、閉塞嵌合部材および締付け移動部材を、公共ドロップ桝本体内に挿入すると、閉塞嵌合部材の嵌合筒部のテーパー面には、流出側接続口部の内周面から内方に向う力が作用し、この状態で、閉塞嵌合部材の嵌合筒部が流出側接続口部の内周面に密着嵌合する。
【００３０】
請求項５記載の公共ドロップ桝用閉塞装置は、請求項２ないし４のいずれかに記載の公共ドロップ桝用閉塞装置において、締付け移動部材は、上下面に貫通した回り止め規制孔を有し、閉塞嵌合部材は、前記締付け移動部材に対向する閉塞基板部を有し、この閉塞基板部には、中央部に回動操作軸の螺合部を挿通する挿通孔を設けるとともに周縁部に前記締付け移動部材の前記回り止め規制孔に上下方向に移動可能に嵌挿する回り止め突起部を突設したものである。
【００３１】
被締付けリング部材を、閉塞嵌合部材と締付け移動部材との間に配設させた状態では、回動操作軸の螺合部は、閉塞嵌合部材の閉塞基板部の中央部に設けた挿通孔に挿通され、かつ、締付け移動部材の中央部に設けた螺合孔に螺合された状態にある。
【００３２】
また、この螺合部が螺合孔に螺合した状態では、閉塞嵌合部材の閉塞基板部の周縁部に突設した回り止め突起部は、締付け移動部材の回り止め規制孔に、上下方向に移動可能に嵌挿された状態にある。
【００３３】
そして、公共ドロップ桝本体内に挿入した後における回動操作軸の操作部の回動操作の際に、この回り止め突起部は、回り止め規制孔にてその回動が規制されるため、回動操作軸とともに、締付け移動部材が回動することを防止する。
【００３４】
請求項６記載の公共ドロップ桝用閉塞装置は、請求項１ないし５のいずれかに記載の公共ドロップ桝用閉塞装置において、閉塞嵌合部材および締付け移動部材には、上下面にそれぞれ貫通した結露水を流す結露水排出用孔を設けたものである。
【００３５】
結露により生じた水滴等の結露水は、結露水排出用孔を流れて、公共ドロップ桝本体の流出側接続口部を通って、公共ドロップ桝本体外へ排出される。
【００３６】
請求項７記載の公共ドロップ桝用閉塞装置は、請求項２ないし６のいずれかに記載の公共ドロップ桝用閉塞装置において、締付け移動部材の螺合孔から突出した回動操作軸の先端部には、前記締付け移動部材の抜け止め部を設けたものである。
【００３７】
公共ドロップ桝本体の流出側接続口部を開放する場合において、回動操作軸の操作部を、閉塞する場合とは逆方向に回動操作すると、回動操作軸の螺合部が締付け解除方向に回動し、締付け移動部材が移動する。
【００３８】
そして、この締付け移動部材の移動の際に、回動操作軸の先端部に設けた抜け止め部にて、この締付け移動部材の移動が制限されるため、その結果、回動操作軸の回動操作も制限され、締付け移動部材が回動操作軸から抜け外れて落下することを防止する。
【００３９】
【発明の実施の形態】
以下、本発明の公共ドロップ桝用閉塞装置の一実施の形態の構成を図１ないし図３を参照して説明する。
【００４０】
図１ないし図３において、１は公共ドロップ桝本体で、この公共ドロップ桝本体１は、例えば、塩化ビニル樹脂などの合成樹脂にて、上下方向に向ってそれぞれ開口した略筒状に成形されている。
【００４１】
この公共ドロップ桝本体１の上部には、管部２の上端周縁に連続して、この管部２と比べて外径が大きい大径の略円筒状の開口部としての流入側接続口部３が形成されている。この流入側接続口部３は点検掃除口を兼ねている。
【００４２】
また、この公共ドロップ桝本体１の下部には、前記管部２の下端周縁に連続して、下方に向って縮径した截頭円錐状の縮径段部４が形成されている。さらに、この縮径段部４の下端周縁に連続して前記流入側接続口部３と比べて小径の略円筒状の流出側接続口部５が形成されている。
【００４３】
そして、この公共ドロップ桝本体１は、図３に示すように、例えば宅地内の地表下に埋設され、前記流入側接続口部３には、立上がり管８を介して開閉蓋９が、地表に面して設置されている。また、この立上がり管８は、長手方向の略中央部に突出形成された接続口部10を有し、この接続口部10には、宅地内の排水管12の末端が接続されている。
【００４４】
一方、この公共ドロップ桝本体１の前記流出側接続口部５には、ソケット15およびエルボ16を介して取付管17が接続され、この取付管17の先端は図示しない下水本管に接続されている。
【００４５】
そして、宅地内からの排水等は、宅地内の排水管12から、立上がり管８、公共ドロップ桝本体１、ソケット15、エルボ16、取付管17を経て、下水本管に流れ、最終的に下水処理場に流れ込むようになっている。
【００４６】
図１および図２において、21は公共ドロップ桝用閉塞装置で、この公共ドロップ桝用閉塞装置21は、図１に示すように、締付け移動部材23と、この締付け移動部材23と対向する閉塞嵌合部材25と、この閉塞嵌合部材25と前記締付け移動部材23との間に配設される被締付けリング部材27と、この被締付けリング部材27を前記締付け移動部材23と前記閉塞嵌合部材25とで締め付ける締付け機構31とを備えている。
【００４７】
前記締付け移動部材23は、塩化ビニル樹脂などの合成樹脂にて、略円形板状に成型され、その外径は前記公共ドロップ桝本体１の前記流出側接続口部５の内径より小さい寸法となっている。
【００４８】
そして、この締付け移動部材23は、略円形板状の円形基板部41を有し、この円形基板部41の肉厚中央部42の上側には挿通孔43が設けられ、かつ、この円形基板部41の肉厚中央部42の下側には例えば六角ナット45の埋込みにより螺合孔47が設けられている。この螺合孔47と前記挿通孔43とが連続して、この肉厚中央部42の上下面に貫通している。
【００４９】
また、この円形基板部41の周縁近傍には、この円形基板部41の中心点を含む直線上であってこの中心点から対称位置に、上下面に貫通した２つの回り止め規制孔49が設けられている。
【００５０】
さらに、この円形基板部41の下面には、リブ部50が一体に突設され、このリブ部50は、例えば、前記肉厚中央部42に連続して放射状に形成された４つの直線リブ部52と、この４つの直線リブ部52の中間部を結んで前記肉厚中央部42と同軸状に形成された１つの円リブ部53とにて構成されている。
【００５１】
また、この円形基板部41には、上下面に貫通した比較的小径の結露水排出用孔55が設けられている。
【００５２】
さらに、この円形基板部41の周縁からは、下方に向って拡径した截頭円錐状の締付け縁部56が一体に設けられ、この締付け縁部56の外周面は押圧面57に形成されている。
【００５３】
次に、前記閉塞嵌合部材25は、塩化ビニル樹脂などの合成樹脂にて、略円形状に成型され、その外径は前記公共ドロップ桝本体１の前記流出側接続口部５の内径より大きい寸法となっている。
【００５４】
そして、この閉塞嵌合部材25は、前記締付け移動部材23の円形基板部41と対向して位置する略円形板状の閉塞基板部62を有し、この閉塞基板部62の肉厚中央部64には、上下面に貫通した挿通孔65が設けられている。この挿通孔65は、前記締付け移動部材23の円形基板部41の肉厚中央部42に設けた挿通孔43と同じ径寸法で形成されている。
【００５５】
また、この閉塞基板部62の周縁部には、この閉塞基板部62の中心点を含む直線上であってこの中心点から対称位置に、２つの回り止め突起部66が下方に向って突設されている。
【００５６】
そして、この回り止め突起部66は、前記締付け移動部材23の円形基板部41に設けた２つの回り止め規制孔49に上下方向に移動可能に嵌挿されている。なお、この各回り止め突起部66は細長で中空の有底円筒状に形成されている。
【００５７】
さらに、この閉塞基板部62の上面からは、リブ部70が一体に突設され、このリブ部70は、例えば、前記肉厚中央部64に連続して放射状に形成された４つの直線リブ部72と、この４つの直線リブ部52の中間部を結ぶようにして前記肉厚中央部42と同軸状に形成された１つの円リブ部73とにて構成されている。
【００５８】
また、この閉塞基板部62には、前記円形基板部41に設けた結露水排出用孔55に対向する位置に、上下面に貫通した比較的小径の結露水排出用孔75が設けられている。
【００５９】
さらに、この閉塞基板部62の周縁からは、上方に向って拡径した截頭円錐状の締付け部76が一体に設けられ、この締付け部76の外周面は押圧面77に形成されている。
【００６０】
また、この締付け部76に連続して、前記公共ドロップ桝本体１の流出側接続口部５の内周面5aに嵌合される短寸法の嵌合筒部80が一体に設けられ、この嵌合筒部80の外周面には、上方に向って拡開した例えば２°の傾斜角を有するテーパー面81が形成されている。また、この嵌合筒部80の外周縁には、例えば全周にわたって、前記公共ドロップ桝本体１の縮径段部４に係止される係止部83が外方に向って突出形成されている。
【００６１】
次いで、前記被締付けリング部材27は、シール性の有する合成ゴム等の弾性材にて、略リング状に成形され、その外径は前記公共ドロップ桝本体１の前記流出側接続口部５の内径より小さい寸法となっている。
【００６２】
そして、この被締付けリング部材27の内周面は、中央に向って縮径した被押圧面となっており、図２に示す公共ドロップ桝本体１の流出側接続口部５の閉塞状態では、この被押圧面の下側の傾斜面は前記締付け移動部材23の締付け縁部56の押圧面57と圧接し、かつ、この被押圧面の上側の傾斜面は前記閉塞嵌合部材25の締付け部76の押圧面77とに圧接する。
【００６３】
なお、この被締付けリング部材27の外周面は、図１に示す公共ドロップ桝本体１の流出側接続口部５の閉塞解除状態では、前記公共ドロップ桝本体１の流出側接続口部５の内周面5aから離間しているが、図２に示す公共ドロップ桝本体１の流出側接続口部５の閉塞状態では、この被締付けリング部材27が締付け移動部材23と閉塞嵌合部材25とで締め付けられることによって変形して、この公共ドロップ桝本体１の流出側接続口部５の内周面5aと圧接している。
【００６４】
次に、前記締付け機構31は、前記締付け移動部材23および閉塞嵌合部材25に対して、回動可能に軸支された細長形状の回動操作軸91を備えている。
【００６５】
この回動操作軸91は、一端となる下端に外周面にねじ溝が形成された略円柱状の螺合部92を有し、この螺合部92に連続して軸部93が形成され、この軸部93に連続してこの軸部93より径大な径大軸部94が形成されている。なお、この径大軸部94は、閉塞嵌合部材25の挿通孔65より大きい外径寸法となっており、一方、この螺合部92および軸部93は、閉塞嵌合部材25の挿通孔65、締付け移動部材23の挿通孔43より小さい寸法となっている。
【００６６】
また、この径大軸部94に連続して中空軸部96が設けられ、この中空軸部96には、回動操作軸91の他端となる上端に位置して、操作部95が設けられている。
【００６７】
そして、この回動操作軸91の螺合部92が、前記公共ドロップ桝本体１の上部側から前記閉塞嵌合部材25の挿通孔65および前記締付け移動部材23の挿通孔43に挿通して、この締付け移動部材23の螺合孔47に螺合されている。
【００６８】
また、この回動操作軸91の径大軸部94と前記閉塞嵌合部材25の肉厚中央部64との間には、ワッシャー98およびスラストリング99が挟持されている。さらに、この回動操作軸91の操作部95は、この操作部95に係合する図示しない適合工具にて回動操作されるようになっている。
【００６９】
さらに、前記締付け移動部材23の螺合孔47から下方に向って突出した回動操作軸91の螺合部92の先端部には、締付け移動部材23の抜け止め部100 が設けられている。この抜け止め部100 は、例えば、螺合部の先端部にピン取付け用孔を設け、このピン取付け用孔に、螺合孔47の直径より大きい長さ寸法を有するピン101 を取り付けることにより形成される。なお、この回動操作軸91、螺合孔47、ワッシャー98、スラストリング99等にて、締付け機構31が構成されている。
【００７０】
次に、上記一実施の形態の作用を説明する。
【００７１】
排水系の敷設は、例えば、宅地造成時に、宅地外の公道下に下水本管を敷設し、この下水本管から取付管17を分岐して、この取付管17を、ソケット15およびエルボ16を介して、公共ドロップ桝本体１の流出側接続口部５に接続する。また、公共ドロップ桝本体１の流入側接続口部３には、立上がり管８を接続し、開閉蓋９を設置する。
【００７２】
さらに、この立上がり管８の接続口部10には、図示しない閉塞具を着脱可能に取り付けて、この接続口部10を閉塞しておく。
【００７３】
また、公共ドロップ桝本体１内に配設した公共ドロップ桝用閉塞装置21にて、この公共ドロップ桝本体１の流出側接続口部５を閉塞する。
【００７４】
この公共ドロップ桝用閉塞装置21を公共ドロップ桝本体１内に取り付ける場合、まず、図１に示すように、被締付けリング部材27、閉塞嵌合部材25および締付け移動部材23を、公共ドロップ桝本体１内に上方から挿入し、閉塞嵌合部材25の嵌合筒部80を流出側接続口部５の内周面5aに嵌合する。この状態で、閉塞嵌合部材25の周縁部に突出形成した係止部83は、縮径段部４に係止した状態になり、公共ドロップ桝用閉塞装置21が、公共ドロップ桝本体１の流出側接続口部５に保持される。
【００７５】
次いで、回動操作軸91の操作部95を、公共ドロップ桝本体１の上部側から、適合工具を用いて回動操作する。
【００７６】
この操作部95の回動操作に基づき、締付け移動部材23の螺合孔47に、回動操作軸91の螺合部92が、螺合されつつ、締付け方向に回動する。この螺合部92の回動に伴い、締付け移動部材23が、閉塞嵌合部材25に向って移動する。すなわち、流出側接続口部５の上端部位置に嵌合された閉塞嵌合部材25に近接する方向である上方に向って移動する。
【００７７】
そして、この締付け移動部材23の移動により、被締付けリング部材27が、この締付け移動部材23と閉塞嵌合部材25とで締め付けられて、被締付けリング部材27の内周面である被押圧面が、締付け移動部材23の締付け縁部56の押圧面57に押されかつ閉塞嵌合部材25の締付け部76の押圧面77に押されて、この被締付けリング部材の外周面が膨出し、流出側接続口部５の内周面5aに圧接した状態で固定される。
【００７８】
この状態で、閉塞嵌合部材25が締付け移動部材23および被締付けリング部材27にて流出側接続口部５に保持されて、この保持された閉塞嵌合部材25により、図２に示すように、この流出側接続口部５が閉塞される。
【００７９】
そして、この公共ドロップ桝用閉塞装置21にて流出側接続口部５が閉塞された公共ドロップ桝本体１、立上がり管８等を、一旦、地中内に埋め戻す。
【００８０】
その後、宅地造成が完成し、建物が建築された後に、立上がり管８の接続口部近傍までを掘り下げて、この立上がり管８の接続口部10から、閉塞具を取り外し、この接続口部10に宅地内の建物からの排水を流す排水管12の末端を接続等する。
【００８１】
一方、公共ドロップ桝本体１の流出側接続口部５に取り付けた公共ドロップ桝用閉塞装置21は、適合工具を所有する下水道事業者等が、下水道施設の供用開始時期に取り外す。
【００８２】
すなわち、公共ドロップ桝本体１の流出側接続口部５を開放状態にする場合、立上がり管８に設置した開閉蓋９を開き、回動操作軸91の操作部95を適合工具を用いて、閉塞する場合とは逆方向に回動操作する。
【００８３】
この操作部95の回動操作に基づき、回動操作軸91の螺合部92が、締付け解除方向に回動する。この螺合部92の回動に伴い、締付け移動部材23が、閉塞嵌合部材25から離反する方向である下方に向って移動する。
【００８４】
そして、この締付け移動部材23の移動により、閉塞嵌合部材25と締付け移動部材23とによる被締付けリング部材27の締付けが解除され、この被締付けリング部材27の外周面が、流出側接続口部５の内周面5aから離れて、締付け移動部材23の周縁の圧接固定が解除される。そして、回動操作軸91を利用して、被締付けリング部材27、閉塞嵌合部材25および締付け移動部材23を公共ドロップ桝本体１外に取り出して、公共ドロップ桝本体１の流出側接続口部５を開放状態にする。
【００８５】
このようにして、上記一実施の形態によれば、被締付けリング部材27、閉塞嵌合部材25および締付け移動部材23を、公共ドロップ桝本体１内に挿入して、閉塞嵌合部材25が流出側接続口部５の内周面5aに嵌合し、締付け機構31の回動操作軸91の操作部95を適合工具で回動操作すると、締付け移動部材23が閉塞嵌合部材25に向って上方に移動し、この締付け移動部材23の移動により、被締付けリング部材27が閉塞嵌合部材25と締付け移動部材23とで締め付けられて、この被締付けリング部材27の外周面が、流出側接続口部５の内周面5aに強く圧接した状態で固定される。
【００８６】
したがって、従来の単に嵌合した状態で保持される栓体と比べ、閉塞嵌合部材25を容易に強く嵌合固定した状態に保持でき、公共ドロップ桝本体１の流出側接続口部５をこの閉塞嵌合部材25にて確実に閉塞でき、適合工具以外による回動操作軸91の操作部95の操作は困難であり、簡単にこの閉塞状態が解除されることがなく、無断で流出側接続口部５の閉塞状態が解除されることを防止できるので、未だ稼働していない下水処理場に排水が流れ込むこと、下水道施設が無断で利用されること等を確実に防止できる。
【００８７】
また、流出側接続口部５の閉塞状態から、締付け機構31の回動操作軸91の操作部95を、閉塞する場合とは逆方向に回動操作するのみで、締付け移動部材23を閉塞嵌合部材25から離反する方向である下方に向って移動させ、閉塞嵌合部材25と締付け移動部材23とによる被締付けリング部材27の締付けを解除させ、締付け移動部材23の周縁の圧接固定を解除できるので、簡単でかつ確実に公共ドロップ桝本体１の流出側接続口部５を開放でき、しかも、その回動操作軸91を利用することにより、公共ドロップ桝本体１の外へ容易に取り出すことができる。
【００８８】
さらに、閉塞嵌合部材25の周縁部に係止部83を突出形成するため、この閉塞嵌合部材25を流出側接続口部５の内周面5aに嵌合した状態では、この係止部83が縮径段部４に係止した状態となるので、公共ドロップ桝用閉塞装置21自体を容易に位置決めでき、しかも、流出側接続口部５より下方に落下することを防止できる。
【００８９】
また、閉塞嵌合部材25の嵌合筒部80の外周面に、テーパー面81を形成するため、挿入を容易にできるほか、この閉塞嵌合部材25の嵌合筒部80を流出側接続口部５の内周面5aに嵌合した状態では、このテーパー面81と流出側接続口部５の内周面5aとの間には、比較的大きな力が互いに作用し合うので、嵌合筒部80を流出側接続口部５の内周面5aに確実に密着嵌合でき、公共ドロップ桝用閉塞装置21自体を確実に位置決めでき、締付け機構31の回動操作軸91の操作部95の操作時における回動等を防止でき、操作性に優れている。
【００９０】
さらに、締付け移動部材23は回り止め規制孔49を有するとともに、閉塞嵌合部材25の閉塞基板部62に回り止め突起部66を突設するため、回動操作軸91の操作部95の操作時において、この回り止め突起部66は回り止め規制孔49にて、その回動が規制されるので、回動操作軸91とともに締付け移動部材23が回動することを簡単かつ確実に防止でき、操作性に優れている。
【００９１】
また、閉塞嵌合部材25および締付け移動部材23に、上下面に貫通した結露水排出用孔55，75をそれぞれ設けるため、生じた結露水は、この結露水排出用孔55，75をを流れて、公共ドロップ桝本体１の流出側接続口部５を通って、公共ドロップ桝本体１外へ排出される。よって、公共ドロップ桝本体１内に結露水が溜まることを防止できる。
【００９２】
さらに、回動操作軸91の先端部に、抜け止め部100 を設けるため、回動操作軸91の操作部95の操作時に、この抜け止め部100 にて回動操作軸91の回動操作が制限されるので、締付け移動部材23が回動操作軸91から抜け外れて、落下することを防止できる。
【００９３】
また、締付け機構31が締付け移動部材23の螺合孔47に螺合された螺合部92を下端に形成するとともに、操作部95を上端に形成した回動操作軸91を備えるため、構造を簡単にでき、容易に製造できる。
【００９４】
なお、上記実施の形態においては、閉塞嵌合部材25の係止部83は、嵌合筒部80の上周縁に全周にわたって突出形成した構成について説明したが、嵌合筒部80の上周縁の全周ではなく、上周縁の一部分に、例えば、等間隔をおいて３か所に突出形成した構成とすることもでき、この構成では、原材料を少なくでき、材料コストを低減できる。
【００９５】
また、上記実施の形態においては、公共ドロップ桝本体１の縮径段部４は、下方に向って縮径した傾斜面としたが、傾斜面とせず水平面とすることもできる。
【００９６】
さらに、上記実施の形態においては、公共ドロップ桝本体１の上部の開口部は、点検掃除口を兼ねる流入側接続口部３とした構成について説明したが、図４に示すように、公共ドロップ桝本体1aの上部の開口部は点検口部3aとしかつその公共ドロップ桝本体1aの管部２の周面に流入側接続口部110 を突出形成することもできる。なお、この点検口部3aには立上がり管8aを介して開閉蓋９を地表に面して設置し、また、流入側接続口部110 には宅地内の排水管12の末端を接続する。
【００９７】
そして、この図４に示す公共ドロップ桝本体1aについても、この公共ドロップ桝本体1a内に公共ドロップ桝用閉塞装置21を着脱可能に取り付けることで、この公共ドロップ桝本体1aの流出側接続口部５を無断に解除されない閉塞状態とできる。
【００９８】
【発明の効果】
請求項１記載の発明によれば、被締付けリング部材、閉塞嵌合部材および締付け移動部材を、公共ドロップ桝本体内に挿入して、閉塞嵌合部材を流出側接続口部の内周面に嵌合された状態で、締付け機構の操作部を操作すると、被締付けリング部材が閉塞嵌合部材と締付け移動部材とで締め付けられて、この被締付けリング部材の外周面が流出側接続口部の内周面に圧接するので、従来のように単に嵌合した状態で保持される栓体と比べ、閉塞嵌合部材を強く嵌合固定した状態に保持でき、公共ドロップ桝本体の流出側接続口部を閉塞嵌合部材にて確実に閉塞でき、簡単にこの閉塞状態が解除されることを防止できる。
【００９９】
請求項２記載の発明によれば、締付け機構が締付け移動部材の螺合孔に螺合された螺合部を一端に形成するとともに操作部を他端に形成した回動操作軸を備えるため、構造を簡単にでき、容易に製造できる。
【０１００】
請求項３記載の発明によれば、閉塞嵌合部材を流出側接続口部の内周面に嵌合した状態で、周縁部に突出した係止部が縮径段部に係止した状態となるので、公共ドロップ桝用閉塞装置自体を容易に位置決めでき、しかも、流出側接続口部より下方に落下することを防止できる。
【０１０１】
請求項４記載の発明によれば、閉塞嵌合部材の嵌合筒部の外周面をテーパー面に形成するため、挿入を容易にでき、この閉塞嵌合部材の嵌合筒部を流出側接続口部の内周面に嵌合した状態では、閉塞嵌合部材のテーパー面と流出側接続口部の内周面との間には、比較的大きな力が互いに作用し合うので、嵌合筒部を流出側接続口部の内周面に確実に密着嵌合でき、公共ドロップ桝用閉塞装置自体を確実に位置決めでき、締付け機構の操作部の操作時における回動等を防止できる。
【０１０２】
請求項５記載の発明によれば、回動操作軸の操作部の操作時に、この回り止め突起部は回り止め規制孔にてその回動が規制され、回動操作軸とともに締付け移動部材が回動することを簡単かつ確実に防止できる。
【０１０３】
請求項６記載の発明によれば、生じた結露水は、この結露水排出用孔を流れて、公共ドロップ桝本体の流出側接続口部を通って、公共ドロップ桝本体外へ排出される。よって、公共ドロップ桝本体内に結露水が溜まることを防止できる。
【０１０４】
請求項７記載の発明によれば、回動操作軸の操作部の操作時に、この抜け止め部にて回動操作軸の回動操作が制限され、締付け移動部材が回動操作軸から抜け外れて落下することを防止でき、操作性に優れている。
【図面の簡単な説明】
【図１】本発明の公共ドロップ桝用閉塞装置の一実施の形態を示す断面図である。
【図２】同上公共ドロップ桝用閉塞装置を示す公共ドロップ桝本体の流出側接続口部の閉塞状態における断面図である。
【図３】同上公共ドロップ桝用閉塞装置が取り付けられる公共ドロップ桝本体を含む排水系の側面図である。
【図４】同上公共ドロップ桝用閉塞装置が取り付けられる他の公共ドロップ桝本体を含む排水系の側面図である。
【符号の説明】
１，1a    公共ドロップ桝本体
３    開口部としての流入側接続口部
3a    開口部としての点検口部
４    縮径段部
５    流出側接続口部
5a    内周面
21    公共ドロップ桝用閉塞装置
23    締付け移動部材
25    閉塞嵌合部材
27    被締付けリング部材
31    締付け機構
47    螺合孔
49    回り止め規制孔
55，75    結露水排出用孔
62    閉塞基板部
65    挿通孔
66    回り止め突起部
80    嵌合筒部
81    テーパー面
83    係止部
91    回動操作軸
92    螺合部
95    操作部
100   抜け止め部
【図１】
0003825544.tif 000002
【図２】
0003825544.tif 000003
【図３】
0003825544.tif 000004
【図４】
0003825544.tif 000005